(57)【要約】【課題】搬送中の連続シートに発生する皺を伸ばしながら、連続シートを巻き取ることが可能な連続シート搬送装置を提供する。【解決手段】本発明の連続シート搬送装置１０は、連続シート５０を搬送する搬送手段３０と、連続シート５０の搬送路に配され、連続シート５０の皺を伸ばすためのしわ伸ばし手段２０と、を少なくとも備え、しわ伸ばし手段２０は、連続シート５０を吸着する吸着テーブル２１を備え、吸着テーブル２１の吸着面２１ａ側には、吸着テーブル２１の長手方向の一方の端面２１ｂを基端とし、緩やかに湾曲して吸着テーブル２１の側面２１ｃまたは側面２１ｄに達する断面凹状の線条溝が多数並列に設けられ、かつ、連続シート５０を吸引固定するための吸引孔２３が多数設けられたことを特徴とする。【選択図】図２
2009242056.tif 000002
【特許請求の範囲】
【請求項１】
連続シートを搬送する搬送手段と、前記連続シートの搬送路に配され、前記連続シートの皺を伸ばすためのしわ伸ばし手段と、を少なくとも備えた連続シート搬送装置であって、
前記しわ伸ばし手段は、前記連続シートを吸着する吸着テーブルを有し、
前記吸着テーブルの吸着面側には、前記吸着テーブルの長手方向の一端面を基端とし、緩やかに湾曲して前記吸着テーブルの一側面に達する断面凹状の線条溝が多数並列に設けられ、かつ、前記連続シートを吸引固定するための吸引孔が多数設けられたことを特徴とする連続シート搬送装置。
【発明の詳細な説明】
【技術分野】
【０００１】
本発明は、長尺の連続シートをロール状に巻き取る際に用いられる連続シート搬送装置に関し、さらに詳しくは、ＲＦＩＤ（Ｒａｄｉｏ  Ｆｒｅｑｕｅｎｃｙ  ＩＤｅｎｔｉｆｉｃａｔｉｏｎ）用のアンテナが等間隔に多数設けられたインレットシートなどを巻き取る際に、その連続シートに発生する皺を伸ばしながら、連続シートを巻き取ることが可能な連続シート搬送装置に関するものである。
【背景技術】
【０００２】
シートの搬送装置としては、静電気力によってシートを吸着させて搬送するシート搬送装置（例えば、特許文献１参照）や、エアーによってシートを吸着させて搬送するシート搬送装置（例えば、特許文献２参照）などが提案されている。
また、これらのシート搬送装置で問題となっていたシートの搬送不良や分離不良を防止しつつ、シート搬送時の摺擦音の低減や搬送効率の向上を図ることが可能なシート搬送装置として、シート搬送手段に吸着しているシートの吸引作用を停止する際、吸引力制御手段が設定付与している吸引力よりも低い吸引力に設定変更するか、あるいは、吸引力制御手段が設定付与している吸引力の逆極性の力を付与する機構が設けられた装置が提案されている（例えば、特許文献３参照）。
【特許文献１】特開平０９−１９４０６０号公報
【特許文献２】特開平１０−０３５９４３号公報
【特許文献３】特開２００６−２６４９１９号公報
【発明の開示】
【発明が解決しようとする課題】
【０００３】
しかしながら、上記のシート搬送装置では、シートの分離、吸着を速やかに行い、シートの搬送効率を向上することができるものの、搬送時に、連続シートに生じる皺を伸ばして、連続シートを整然と巻き取ることはできなかった。
【０００４】
本発明は、上記事情に鑑みてなされたものであって、搬送中の連続シートに発生する皺を伸ばしながら、連続シートを巻き取ることが可能な連続シート搬送装置を提供することを目的とする。
【課題を解決するための手段】
【０００５】
本発明の連続シート搬送装置は、連続シートを搬送する搬送手段と、前記連続シートの搬送路に配され、前記連続シートの皺を伸ばすためのしわ伸ばし手段と、を少なくとも備えた連続シート搬送装置であって、前記しわ伸ばし手段は、前記連続シートを吸着する吸着テーブルを有し、前記吸着テーブルの吸着面側には、前記吸着テーブルの長手方向の一端面を基端とし、緩やかに湾曲して前記吸着テーブルの一側面に達する断面凹状の線条溝が多数並列に設けられ、かつ、前記連続シートを吸引固定するための吸引孔が多数設けられたことを特徴とする。
【発明の効果】
【０００６】
本発明の連続シート搬送装置は、連続シートを搬送する搬送手段と、前記連続シートの搬送路に配され、前記連続シートの皺を伸ばすためのしわ伸ばし手段と、を少なくとも備えた連続シート搬送装置であって、前記しわ伸ばし手段は、前記連続シートを吸着する吸着テーブルを有し、前記吸着テーブルの吸着面側には、前記吸着テーブルの長手方向の一端面を基端とし、緩やかに湾曲して前記吸着テーブルの一側面に達する断面凹状の線条溝が多数並列に設けられ、かつ、前記連続シートを吸引固定するための吸引孔が多数設けられたので、連続シートの搬送に伴って、線条溝内の空気が、吸着テーブルの一端面から、側面に向かって流れ、吸着テーブル外に流出するから、この空気の流れによって空気と連続シートとの間に生じる摩擦力により、連続シートには、吸着テーブル側面方向の力が作用して、連続シートに発生した皺を伸ばすことができる。
【発明を実施するための最良の形態】
【０００７】
本発明の連続シート搬送装置の最良の形態について説明する。
なお、この形態は、発明の趣旨をより良く理解させるために具体的に説明するものであり、特に指定のない限り、本発明を限定するものではない。
【０００８】
図１は、本発明の連続シート搬送装置の一実施形態を示す概略平面図である。
この実施形態の連続シート搬送装置１０は、連続シートを搬送する搬送手段３０（３０Ａ、３０Ｂ）と、連続シートの搬送路において、搬送手段３０Ａ，３０Ｂの間に配され、連続シートの皺を伸ばすためのしわ伸ばし手段２０とから概略構成されている。
【０００９】
搬送手段３０は、ベルト搬送部３１と、回転ロール３２とから概略構成されている。
ベルト搬送部３１としては、連続シートと接することにより、その摩擦によって連続シートを吸着し、搬送することができる材質からなるベルトであれば特に限定されず、また、この連続シート搬送装置１０によって搬送される連続シートよりも幅が大きいものが用いられる。
回転ロール３２は、モータなどの駆動力により所定の回転数にて回転し、連続シートを、しわ伸ばし手段２０の長手方向に沿って搬送するようになっている。
【００１０】
しわ伸ばし手段２０は、連続シートを吸着する吸着テーブル２１を有している。
吸着テーブル２１の吸着面２１ａ側には、吸着テーブル２１の長手方向の一方の端面２１ｂを基端とし、緩やかに湾曲しながら吸着テーブル２１の側面２１ｃまたは側面２１ｄに達する線条溝２２，２２，・・・が多数並列に設けられている。言い換えれば、線条溝２２は、前記の端面２１ｂを基端として吸着テーブル２１の長手方向に進みながら、前記の側面２１ｃまたは側面２１ｄに向かって緩やかに湾曲し、最終的に前記の側面２１ｃまたは側面２１ｄに達している。
また、多数の線条溝２２は、吸着テーブル２１の長手方向に沿う中心線を境にして、ほぼ対象に設けられている。
【００１１】
この線条溝２２は、その長手方向と垂直な断面の形状が凹状をなしており、吸着テーブル２１を貫通していない。
また、この線条溝２２は、吸着テーブル２１の長手方向の一方の端面２１ｂにおいては、閉口している。すなわち、線条溝２２は、その基端となる端面２１ｂにおいて、開口していない。
一方、この線条溝２２は、吸着テーブル２１の側面２１ｃまたは側面２１ｄにおいては、開口している。
【００１２】
また、吸着テーブル２１の吸着面２１ａ側には、線条溝２２が設けられていない領域のほぼ全ての領域に、連続シートを吸引固定するための吸引孔２３が規則的または不規則的に多数設けられている。
吸引孔２３は、平面形状が円形状をなしており、かつ、吸着テーブル２１の厚みの方向の断面形状が円柱状をなしている。
さらに、吸着テーブル２１は、その内部が空間領域（図示略）をなしており、吸引孔２３がこの空間領域と連通している。これにより、真空ポンプなどからなる吸引手段（図示略）を用いて、前記の空間領域内の空気を吸引することによって、吸着テーブル２１に連続シートが吸着される。
【００１３】
吸着テーブル２１の長さは特に限定されないが、連続シート５０の材質や厚みなどに応じて適宜調整される。
また、吸着テーブル２１の幅は、連続シート５０よりも大きくなっている。
【００１４】
次に、図２を参照して、この実施形態の連続シート搬送装置１０を用いた連続シートの搬送方法を説明する。
まず、連続シート５０を、その搬送方向の先端部側から搬送手段３０Ａのベルト搬送部３１、しわ伸ばし手段２０の吸着テーブル２１、および、搬送手段３０Ｂのベルト搬送部３１上に配する。この時、連続シート５０の先端部側を、ガイド４１，４１により吸着テーブル２１およびベルト搬送部３１に対して支持しておく。
【００１５】
この状態で吸引孔２３を介して吸引手段により、前記の空間領域内の空気を吸引することによって連続シート５０を吸着テーブル２１の吸着面２１ａに吸着させるとともに、回転ロール３２により、ベルト搬送部３１を回転させて、連続シート５０を吸着テーブル２１の長手方向（図２の大きな矢印方向）に搬送する。
この時、連続シート５０の移動（搬送）に伴って、線条溝２２内の空気が、吸着テーブル２１の一方の端面２１ｂから、側面２１ｃおよび側面２１ｄに向かって流れ、吸着テーブル２１外に流出する（図２の小さな矢印方向）。この空気の流れによって空気と連続シート５０との間に生じる摩擦力により、連続シート５０には、吸着テーブル２１の他方の端面２１ｅ側にいくにしたがって大きくなる力が、吸着テーブル２１の側面２１ｃおよび側面２１ｄ方向、すなわち、連続シート５０の搬送方向とは垂直な方向に作用する。これにより、連続シート５０に発生した皺を伸ばすことができる。
【００１６】
この連続シート５０に対して吸着テーブル２１の側面２１ｃおよび側面２１ｄ方向に作用する力は、搬送中の連続シート５０に対して常に作用し、結果として、連続シート５０を、皺なく、整然と搬送し、巻き取ることができる。
【図面の簡単な説明】
【００１７】
【図１】本発明の連続シート搬送装置の一実施形態を示す概略平面図である。
【図２】本発明の連続シート搬送装置の一実施形態を用いた連続シートの搬送方法を示す概略平面図である。
【符号の説明】
【００１８】
１０・・・連続シート搬送装置、２０・・・しわ伸ばし手段、２１・・・吸着テーブル、２２・・・線条溝、２３・・・吸引孔、３０・・・搬送手段、３１・・・ベルト搬送部、３２・・・回転ロール、４１・・・ガイド、５０・・・連続シート。
【図１】
2009242056.tif 000003
【図２】
2009242056.tif 000004